(57)【要約】【課題】  ドライブの実装密度を高くすることが可能なディスク装置を提供する。【解決手段】  筐体２と、筐体２の奥行き方向ｙに４台のドライブを並べて形成した高さ方向ｚ４段のドライブ列を備えるディスクアレイ８４，８５と、ドライブ列の配線基板８３とを有するディスクユニット８０において、ディスクアレイ８４，８５は、筐体２の高さ方向ｚおよび幅方向ｘに所定間隔を隔てて配設され、配線基板８３は、筐体２の幅方向ｘに配設された隣接する２つのディスクアレイ８４，８５の間に、配線基板８３の基板面がディスク回転面に対して垂直となるように配設されると共に、配線基板８３の両面それぞれにディスクドライブ接続面を有し、配線基板８３と、配線基板８３の両側に配設されたディスクアレイ８４，８５とを一体にして筐体２から引き出す引出部８１を備えている。【選択図】      図１３
2006235696.tif 000002
【特許請求の範囲】
【請求項１】
筐体と、この筐体の奥行き方向および高さ方向に並べられた複数のディスクドライブと、前記各ディスクドライブの配線基板と、前記各ディスクドライブの送風手段とを有するディスク装置において、
前記各ディスクドライブは、ディスク回転面が前記配線基板の基板面に対して垂直となるように前記配線基板に所定間隔を隔てて接続され、
前記複数のディスクドライブと、前記配線基板と、前記送風手段とを一体にして前記筐体から引き出す引出部を備えることを特徴とするディスク装置。
【請求項２】
前記引出部は、前記配線基板の基板面と隣接する面、または前記複数のディスクドライブを介して前記配線基板の基板面と対向する面に、前記送風手段からの空気の風向きを前記各ディスクドライブに向けるためのガイド部材をさらに備えることを特徴とする請求項１に記載のディスク装置。
【請求項３】
互いに異なる各引出部に属する前記ディスクドライブを組み合わせてデータ冗長構造を構成したことを特徴とする請求項１に記載のディスク装置。
【請求項４】
筐体と、この筐体の奥行き方向に複数のディスクドライブを並べて形成した複数のドライブ列と、前記ドライブ列の配線基板とを有するディスク装置において、
前記各ドライブ列は、前記筐体の高さ方向および幅方向に所定間隔を隔てて配設され、
前記配線基板は、前記筐体の幅方向に配設された隣接する２つのドライブ列の間に、前記配線基板の基板面がディスク回転面に対して垂直となるように配設されると共に、前記配線基板の両面それぞれにディスクドライブ接続面を有し、
前記配線基板と、この配線基板の両側に配設された少なくとも２つのドライブ列とを一体にして前記筐体から引き出す引出部を備えていることを特徴とするディスク装置。
【請求項５】
筐体と、この筐体の奥行き方向に複数のディスクドライブを並べて形成した複数のドライブ列と、前記ドライブ列の配線基板と、前記各ディスクドライブの送風手段とを有するディスク装置において、
前記各ドライブ列は、前記筐体の高さ方向および幅方向に所定間隔を隔てて配設され、
前記配線基板は、前記筐体の幅方向に配設された隣接する２つのドライブ列の間に、前記配線基板の基板面がディスク回転面に対して垂直となるように配設されると共に、前記配線基板の両面それぞれにディスクドライブ接続面を有し、
前記配線基板と、この配線基板の両側に配設された少なくとも２つのドライブ列と、前記送風手段とを一体にして前記筐体から引き出す引出部を備えていることを特徴とするディスク装置。
【請求項６】
前記引出部は、前記ドライブ列の周囲に、前記送風手段からの空気の風向きを前記各ディスクドライブに向けるためのガイド部材をさらに備えることを特徴とする請求項５に記載のディスク装置。
【請求項７】
前記引出部は、前記ドライブ列および前記配線基板上の電子部品に対して電力を供給する電源手段を備えることを特徴とする請求項５に記載のディスク装置。
【請求項８】
前記電源手段を２つ以上備えた場合、前記電源手段の１つに障害が発生したときに、前記ドライブ列および前記電子部品への電力供給を他の正常な電源手段に切り替えて実行させる制御を行う切替制御手段をさらに備えることを特徴とする請求項７記載のディスク装置。
【請求項９】
互いに異なる各引出部に属する前記ディスクドライブを組み合わせてデータ冗長構造を構成したことを特徴とする請求項５に記載のディスク装置。
【請求項１０】
前記各ドライブ列に属するディスクドライブは、２.５型ドライブからなり、
前記筐体は、１９型ラックからなり、
前記各ドライブ列を、前記筐体内の幅方向に３列または４列並べて配設したことを特徴とする請求項４または請求項５に記載のディスク装置。
【請求項１１】
筐体と、この筐体の奥行き方向に複数のディスクドライブを並べて形成した複数のドライブ列と、前記ドライブ列の配線基板と、前記各ディスクドライブの送風手段とを有するディスク装置において、
前記各ドライブ列は、前記筐体の高さ方向および幅方向に所定間隔を隔てて配設されると共に、ディスク回転面が前記配線基板に対して垂直となるようにして前記配線基板に接続され、
前記配線基板は、ディスクドライブ接続面が互いに逆方向に臨むように前記筐体の幅方向に所定間隔を隔てて２枚配設され、
前記配線基板と、この配線基板に接続された少なくとも２つのドライブ列と、前記送風手段とを一体にして前記筐体から引き出す引出部を複数備え、
前記２枚の配線基板を隔てる所定間隔は、前記各ドライブ列の前記筐体の幅方向の長さと、前記配線基板の厚さとを合計した長さよりも長く、
異なる前記引出部が互い違いに前記筐体の奥行き方向を逆方向に引き出し可能に構成されていることを特徴とするディスク装置。
【請求項１２】
複数のディスクドライブと、前記各ディスクドライブを動作制御可能にする配線基板と、前記各ディスクドライブの送風手段とを一体的に装備する２つの引出部を有し、これらの引出部を収納する筐体を備えたディスク装置であって、
前記各引出部内の前記各ディスクドライブは、前記配線基板の両基板面にそれぞれ、前記筐体の奥行き方向に所定間隔を隔てて複数台配置するとともに、高さ方向に所定間隔を隔てて複数段配置し、
前記配線基板の各基板面をディスク回転面に対して垂直となるように配設し、
前記各引出部内の前記ディスクドライブを組み合わせてデータ冗長用論理グループを構成し、
前記各引出部を前記筐体から前記奥行き方向に沿って引き出し可能に構成したことを特徴とするディスク装置。
【発明の詳細な説明】
【技術分野】
【０００１】
本発明は、ディスク装置に関し、特に、複数のディスクドライブを備えるディスク装置に関する。
【背景技術】
【０００２】
高性能のコンピュータシステムは、一般に、ＣＰＵ等の上位装置と、磁気ディスク等の２次記憶装置とを備えている。上位装置は、必要なデータを２次記憶装置から随時に読み出すと共に、所定のデータを２次記憶装置に書き込む。２次記憶装置は、一般に、磁気ディスクのほかにも光ディスクのように、ランダムアクセス可能な不揮発性記憶媒体を有するディスク装置である。
【０００３】
近年、ディスク装置は、多数の小型ディスクドライブ（以下、単にドライブという）を備えることにより、記憶容量が増加の傾向にあるが、さらに、その記憶容量を増加しつつ、ディスク装置の小型化が要望されている。すなわち、ドライブの実装密度を高くすることが要望されている。そのために、複数のドライブを筐体内に３次元的に実装するディスク装置が採用された。具体的には、このディスク装置では、複数のドライブを筐体の奥行き方向ｙに並べて構成されるドライブ列が、筐体の高さ方向ｚおよび幅方向ｘに並べられている。
【０００４】
しかしながら、このディスク装置に実装されたドライブに障害が発生した場合、障害ドライブを正常ドライブに交換する必要があるため、ディスク装置の内部に（隣接するドライブ列の間に）、ドライブの交換作業を行うための空間が確保されている。そのため、ドライブの実装密度を増加させようとしても限界がある。そこで、従来、筐体の外部でドライブの交換作業ができるディスク装置が提案されている（例えば、特許文献１、特許文献２）。
【０００５】
特許文献１に開示されたディスク装置は、ドライブを奥行き方向ｙに２台、かつ、高さ方向ｚに２台並べて搭載したスロットを高さ方向ｚに複数備えている。このスロットは、ディスク装置の筐体から引き出すことができるように構成されている。このディスク装置に実装されたドライブに障害が発生した場合、作業者は、まず、障害ドライブが搭載されているスロットを引き出し、筐体の外部で障害ドライブを正常ドライブに交換した後、スロットを筐体に押し戻すこととなる。なお、このディスク装置は、スロットを筐体から引き出した状態でも正常ドライブが連続運転することを想定している。
【０００６】
また、特許文献２に開示されたディスク装置は、ドライブを奥行き方向ｙに５台または６台並べたドライブ列が幅方向ｘに２列配設され、かつ、この２列のドライブ列の間に、配線基板としての電子カード（アダプタ装置）を有するプレートを高さ方向ｚに複数備えている。このプレートは、ディスク装置の筐体から引き出すことができるように構成されている。したがって、このディスク装置に実装されたドライブに障害が発生した場合にも、作業者は、プレートを引き出すことにより、筐体の外部でドライブの交換作業をすることができる。
【特許文献１】特開平８−１３７６３１号公報（段落００１１〜００２０、図１）
【特許文献２】特開平７−６００４号公報（段落００１９〜００３３、図４）
【発明の開示】
【発明が解決しようとする課題】
【０００７】
しかしながら、特許文献１に開示されたディスク装置においては、スロットが引き出されると、ドライブと、このドライブへ冷却風を送風するためのファンとの間の距離が離れてしまい、冷却効果が低減する。また、この状態のままでは、スロットを引き出すための筐体開口部から空気が流入し冷却風の流れが発散してしまう。従って、このディスク装置は、スロットが引き出された状態では、ドライブを十分に冷却することができない。また、このディスク装置は、ドライブを幅方向ｘに複数実装することが考慮されていないので、記憶容量を増加させることが難しい。
【０００８】
また、特許文献２に開示されたディスク装置においては、２列のドライブ列の間隔が、電子カード（アダプタ装置）の基板の幅の長さだけ離れ、かつ、電子カード（アダプタ装置）の基板面とドライブの回転面とが平行に配置されているので、幅方向ｘのドライブ実装密度が低くなってしまう。
【０００９】
そこで、本発明では、前記した問題を解決し、ドライブの実装密度を高めることが可能なディスク装置を提供することを目的とする。
また、ドライブ交換時においても動作中のドライブを冷却可能なディスク装置を提供することを他の目的とする。
【課題を解決するための手段】
【００１０】
本発明は、前記課題を解決するために創案されたものであり、筐体と、この筐体の奥行き方向および高さ方向に並べられた複数のディスクドライブと、各ディスクドライブの配線基板と、各ディスクドライブの送風手段とを有するディスク装置において、各ディスクドライブは、ディスク回転面が配線基板の基板面に対して垂直となるように配線基板に所定間隔を隔てて接続され、複数のディスクドライブと、配線基板と、送風手段とを一体にして筐体から引き出す引出部を備えることを特徴とする。
【００１１】
このような構成によれば、ディスク装置は、各ディスクドライブと、配線基板と、送風手段とを一体にして筐体から引き出すことができるので、ディスクドライブに障害が発生した場合に、正常なドライブや配線基板を十分に冷却しながら障害ドライブを交換することができる。また、各ディスクドライブは、ディスク回転面が配線基板の基板面に対して垂直となるように配線基板に接続されるので、ドライブの実装密度を高くすることができる。
【００１２】
また、本発明は、好ましくは、筐体と、この筐体の奥行き方向に複数のディスクドライブを並べて形成した複数のドライブ列と、ドライブ列の配線基板とを有するディスク装置において、各ドライブ列は、筐体の高さ方向および幅方向に所定間隔を隔てて配設され、配線基板は、筐体の幅方向に配設された隣接する２つのドライブ列の間に、配線基板の基板面がディスク回転面に対して垂直となるように配設されると共に、配線基板の両面それぞれにディスクドライブ接続面を有し、配線基板と、この配線基板の両側に配設された少なくとも２つのドライブ列とを一体にして筐体から引き出す引出部を備えるようにしてもよい。かかる構成によれば、ドライブ列を１列ごとに引き出す場合に比べて、引出部に必要な体積が低減できるので、ドライブの実装密度を高くすることができる。
【００１３】
また、本発明は、好ましくは、筐体と、この筐体の奥行き方向に複数のディスクドライブを並べて形成した複数のドライブ列と、ドライブ列の配線基板と、各ディスクドライブの送風手段とを有するディスク装置において、各ドライブ列は、筐体の高さ方向および幅方向に所定間隔を隔てて配設され、配線基板は、筐体の幅方向に配設された隣接する２つのドライブ列の間に、配線基板の基板面がディスク回転面に対して垂直となるように配設されると共に、配線基板の両面それぞれにディスクドライブ接続面を有し、配線基板と、この配線基板の両側に配設された少なくとも２つのドライブ列と、送風手段とを一体にして筐体から引き出す引出部を備えるようにしてもよい。
【発明の効果】
【００１４】
本発明によれば、ドライブの実装密度を高めることができる。
【発明を実施するための最良の形態】
【００１５】
次に、本発明の実施形態について、適宜図面を参照しながら詳細に説明する。
（第１の実施形態）
図１は、第１の実施形態に係るディスク装置の正面外観図であり、図２は、第１の実施形態に係るディスク装置の背面外観図である。図１に示すように、ディスク装置１は、筐体２の中に、ディスクコントローラ３と、ディスクアレイユニット４と、２台の電源装置５ａ，５ｂとを備えている。ここで、筐体２の幅方向をｘ、奥行き方向をｙ、高さ方向をｚとする。なお、筐体２は、例えば１９型ラック（１９インチラック）等である。
【００１６】
ディスクコントローラ３は、ディスクアレイユニット４の動作を制御するものであり、その詳細は後記する。
ディスクアレイユニット４は、ディスクコントローラ３の上方に配設され、筐体２の幅方向ｘに、４個のドロワ（引出部）６ａ，６ｂ，６ｃ，６ｄを有している。これらのドロワ６ａ〜６ｄは、それぞれ、奥行き方向ｙに沿って引き出すことができるように構成されている。ドロワ６ａは、チャネル７ａ，７ｂを介してディスクコントローラ３と接続されている。また、ドロワ６ｂは、チャネル７ｃ，７ｄを介してディスクコントローラ３と接続されている。同様に、ドロワ６ｃも、チャネル７ｅ，７ｆを介してディスクコントローラ３と接続され、また、ドロワ６ｄも、チャネル７ｇ，７ｈを介してディスクコントローラ３と接続されている。なお、チャネル７ａ〜７ｈは、ドロワ６ａ〜６ｄの引き出しが可能な十分な余長を有している。
【００１７】
電源装置５ａ，５ｂは、ディスクコントローラ３の下方で、筐体２の幅方向ｘに並設されている。この電源装置５ａ，５ｂは、図２に示すように、複数の電源ケーブルを介して、各ドロワ６ａ〜６ｄとそれぞれ接続されている。これらの電源ケーブルも、ドロワ６ａ〜６ｄを引き出しても支障のない余長を有している。これにより、各ドロワ６ａ〜６ｄには電源装置５ａ，５ｂのいずれか一方から電力が供給される。具体的には、ドロワ６ａのコネクタ８ａは、電源装置５ｂのコネクタ９ｂと接続され、且つ、このドロワ６ａのコネクタ８ｂは、電源装置５ａのコネクタ９ａと接続されている。このように構成することにより、ドロワ６ａには、電源装置５ａ，５ｂのいずれか一方から電力が供給される。この場合、電力供給を行わない他方の電源装置は予備として利用される。あるいはドロワ６ａには電源装置５ａ，５ｂの両方から電力を供給し、ドロワ６ａ内の後記するディスクドライブ毎に電源装置５ａ，５ｂのいずれかを供給元とするようにしてもよい。なお、電源装置５ａ，５ｂは、それぞれ電源コネクタ１０ａ，１０ｂを介して主電源に接続されている。
【００１８】
図３は、ディスクコントローラの構成を示すブロック図である。
ディスクコントローラ３は、図３に示すように、チャネルアダプタ１１ａ，１１ｂと、キャッシュメモリ１２ａ，１２ｂと、ディスクアダプタ１３ａ，１３ｂとを備えている。
キャッシュメモリ１２ａ，１２ｂは、データ等を一時的に記憶するものである。
チャネルアダプタ１１ａ，１１ｂの詳細な構成と、ディスクアダプタ１３ａ，１３ｂの詳細な構成は、後記する。
【００１９】
チャネルアダプタ１１ａと、キャッシュメモリ１２ａと、ディスクアダプタ１３ａとは、相互結合網１４ａ，１４ｂに接続されている。また、チャネルアダプタ１１ａは、チャネル１５ａ，１５ｂ，１５ｃ，１５ｄを介して、ＣＰＵ等の上位装置（図示せず）と接続されている。
同様に、チャネルアダプタ１１ｂと、キャッシュメモリ１２ｂと、ディスクアダプタ１３ｂとは、相互結合網１４ａ，１４ｂに接続されている。また、チャネルアダプタ１１ｂは、チャネル１６ａ，１６ｂ，１６ｃ，１６ｄを介して上位装置（図示せず）と接続されている。
【００２０】
ここで、ディスクコントローラ３に接続されるディスクアレイユニット４の主要な構成について説明する。ディスクアレイユニット４を構成するドロワ６ａは、複数のディスクドライブ（以下、単にドライブという）から成るディスクアレイ１７ａと、これらのドライブを切り替えて２つの入出力ポートに接続するスイッチ１８ａ，１９ａとを備えている。ディスクアレイ１７ａを構成するドライブは、入出力ポートを２ポート有するドライブ、例えばファイバチャネルやＳＡＳ（Serial Attached SCSI）規格のドライブである。同様に、ドロワ６ｂは、ディスクアレイ１７ｂと、スイッチ１８ｂ，１９ｂとを備えている。また、ドロワ６ｃは、ディスクアレイ１７ｃと、スイッチ１８ｃ，１９ｃとを備えている。さらに、ドロワ６ｄは、ディスクアレイ１７ｄと、スイッチ１８ｄ，１９ｄとを備えている。
【００２１】
なお、各ドライブに、１つの入出力ポートを有するＳＡＴＡ（Serial ATA）規格のドライブを使用する場合は、ポート・セレクタを各ドライブに接続してＳＡＴＡ規格のドライブを２ポート化することにより、図３に示したディスクアレイユニット４を構成することが可能である。この場合、スイッチ１８ａ〜１８ｄ，１９ａ〜１９ｄとしては、例えばポート・マルチプライヤを利用することができる。また、ＳＡＳ規格のドライブを使用してディスクアレイユニット４を構成する場合には、スイッチ１８ａ〜１８ｄ，１９ａ〜１９ｄとしては、例えばエキスパンダを利用することができる。また、ファイバチャネル・アービトレイテッド・ループ（ＦＣ−ＡＬ）によるデュアル・ループ接続によりディスクアレイユニット４を構成する場合には、スイッチ１８ａ〜１８ｄ，１９ａ〜１９ｄとしては、ループ・スイッチを利用することができる。
【００２２】
前記した構成のディスクアレイユニット４とディスクコントローラ３とは、次のようにして接続されている。すなわち、ディスクコントローラ３のディスクアダプタ１３ａは、ディスクチャネル２０ａとスイッチ１８ａとを介してディスクアレイ１７ａに接続されている。このディスクアダプタ１３ａは、ディスクチャネル２０ｂとスイッチ１８ｂとを介してディスクアレイ１７ｂに接続されている。また、ディスクアダプタ１３ａは、ディスクチャネル２０ｃとスイッチ１８ｃとを介してディスクアレイ１７ｃに接続されている。さらに、ディスクアダプタ１３ａは、ディスクチャネル２０ｄとスイッチ１８ｄとを介してディスクアレイ１７ｄに接続されている。
【００２３】
同様に、ディスクアダプタ１３ｂは、ディスクチャネル２１ａとスイッチ１９ａとを介してディスクアレイ１７ａに接続されている。このディスクアダプタ１３ｂは、ディスクチャネル２１ｂとスイッチ１９ｂとを介してディスクアレイ１７ｂに接続されている。また、ディスクアダプタ１３ｂは、ディスクチャネル２１ｃとスイッチ１９ｃとを介してディスクアレイ１７ｃに接続されている。さらに、ディスクアダプタ１３ｂは、ディスクチャネル２１ｄとスイッチ１９ｄとを介してディスクアレイ１７ｄに接続されている。
【００２４】
また、ディスクコントローラ３のチャネルアダプタ１１ａ，１１ｂおよびディスクアダプタ１３ａ，１３ｂは、保守端末２２と接続されている。この保守端末２２は、ディスクコントローラ３に設定情報を入力したり、ディスク装置１の稼働状況をモニタしたりするものである。
【００２５】
次に、チャネルアダプタ１１ａの構成を図４に示す。図４に示すように、チャネルアダプタ１１ａは、ホストチャネルインターフェイス２３と、キャッシュメモリインターフェイス２４と、ネットワークインターフェイス２５と、プロセッサ２６と、ローカルメモリ２７と、プロセッサ周辺制御部２８とを備えている。
【００２６】
ホストチャネルインターフェイス２３は、チャネル１５ａ〜１５ｄに接続するためのものである。このホストチャネルインターフェイス２３は、チャネル１５ａ〜１５ｄ上のデータ転送プロトコルと、ディスクコントローラ３内部のデータ転送プロトコルとの間の変換を行う。
キャッシュメモリインターフェイス２４は、相互結合網１４ａ，１４ｂに接続するためのものである。なお、このキャッシュメモリインターフェイス２４と、ホストチャネルインターフェイス２３との間は、信号線２９によって接続されている。
ネットワークインターフェイス２５は、保守端末２２に接続するためのものである。
【００２７】
プロセッサ２６は、上位装置（図示せず）とキャッシュメモリ１２ａとの間でのデータ転送を制御するものである。
ローカルメモリ２７は、プロセッサ２６が参照する各種のテーブルや実行すべきソフトウェアを格納するものである。なお、プロセッサ２６が参照する各種のテーブルの設定や変更は、保守端末２２により実行される。
プロセッサ周辺制御部２８は、ホストチャネルインターフェイス２３と、キャッシュメモリインターフェイス２４と、ネットワークインターフェイス２５と、プロセッサ２６と、ローカルメモリ２７とを相互に接続するためのものである。
チャネルアダプタ１１ｂは、ホストチャネルインターフェイス２３が、チャネル１６ａ〜１６ｄに接続されている。その他の構成は、図４に示したチャネルアダプタ１１ａと同一の構成なので、説明を省略する。
【００２８】
次に、ディスクアダプタ１３ａの構成を図５に示す。図５に示すように、ディスクアダプタ１３ａは、キャッシュメモリインターフェイス２４と、ディスクチャネルインターフェイス３１と、ネットワークインターフェイス２５と、プロセッサ２６Ａと、ローカルメモリ２７と、プロセッサ周辺制御部２８Ａとを備えている。このうち、プロセッサ２６Ａと、ディスクチャネルインターフェイス３１と、プロセッサ周辺制御部２８Ａとを除いた他の構成要素が、図４に示したチャネルアダプタ１１ａと同一であるので、これと同一の構成には、同一の符号を付し、説明を省略する。
【００２９】
プロセッサ２６Ａは、キャッシュメモリ１２ａとディスクアレイ１７ａ〜１７ｄとの間でのデータ転送を制御するものである。
ディスクチャネルインターフェイス３１は、ディスクチャネル２０ａ〜２０ｄに接続するためのものである。このディスクチャネルインターフェイス３１は、ディスクコントローラ３内部のデータ転送プロトコルと、ディスクチャネル２０ａ〜２０ｄ上のデータ転送プロトコル、例えば、ＦＣＰ−ＳＣＳＩとの間の変換を行う。なお、このディスクチャネルインターフェイス３１と、キャッシュメモリインターフェイス２４との間は、信号線３２によって接続されている。
【００３０】
プロセッサ周辺制御部２８Ａは、キャッシュメモリインターフェイス２４と、ディスクチャネルインターフェイス３１と、ネットワークインターフェイス２５と、プロセッサ２６Ａと、ローカルメモリ２７とを相互に接続するためのものである。
ディスクアダプタ１３ｂは、ディスクチャネルインターフェイス３１が、ディスクチャネル２１ａ，２１ｂ，２１ｃ，２１ｄに接続されている。その他の構成は、図５に示したディスクアダプタ１３ａと同一の構成なので説明を省略する。
【００３１】
なお、図３に示したディスクコントローラ３は、チャネルアダプタ１１ａ，１１ｂと、ディスクアダプタ１３ａ，１３ｂとを含むものとして説明したが、これは一例であって、他の構成であってもよい。例えば、チャネルアダプタ１１ａ，１１ｂの行う処理と、ディスクアダプタ１３ａ，１３ｂの行う処理とを、両方とも実行できる１つの制御部を設けるようにしてもよい。また、チャネルアダプタ１１ａ，１１ｂと、ディスクアダプタ１３ａ，１３ｂとから、プロセッサ２６を分離して独立させて、この独立した１つのプロセッサと、各インターフェイス２３，２４，２５，３１等とをスイッチで相互に接続するようにしてもよい。
【００３２】
次に、ディスクアレイユニット４の構造を、図６を参照して説明する。図６は、ディスクアレイユニットの内部を示す斜視図である。ディスクアレイユニット４を構成するドロワ６ａは、ディスクアレイ１７ａのほかに、配線基板３８ａと、ファン３９ａとを備えている。同様に、ドロワ６ｂは、ディスクアレイ１７ｂのほかに、配線基板３８ｂと、ファン３９ｂとを備えている。また、ドロワ６ｃは、ディスクアレイ１７ｃのほかに、配線基板３８ｃと、ファン３９ｃとを備えている。さらに、ドロワ６ｄは、ディスクアレイ１７ｄのほかに、配線基板３８ｄと、ファン３９ｄとを備えている。なお、各ドロワ６ａ〜６ｄには、図６には示されていないが、ドロワフレームや、このドロワフレームに固定された側面板および天板等が設けられている。詳細は後記する。
【００３３】
ディスクアレイ１７ａ〜１７ｄは、筐体２の奥行き方向ｙおよび高さ方向ｚに所定間隔を隔てて複数のドライブを並べて構成されている。各ドライブは、ディスク回転面が配線基板３８ａ〜３８ｄの基板面に対して垂直となるように、配線基板３８ａ〜３８ｄに接続されている。本実施の形態では、ディスクアレイ１７ａ〜１７ｄにそれぞれ属する８台のドライブは、ディスクの回転面が水平方向となるようにして、奥行き方向ｙに４台、高さ方向ｚに２段配設されている。すなわち、ディスクアレイ１７ａ〜１７ｄは、それぞれ奥行き方向ｙに４台配設されたドライブ列を高さ方向ｚに２段有している。そして、ディスクアレイユニット４全体としては、前記したドライブ列を幅方向ｘに４列有している。
【００３４】
そして、ディスクアレイ１７ａ〜１７ｄに属するドライブ（ドロワ６ａ〜６ｄに属するドライブ）においては、異なるドロワに属するドライブを組み合わせて、データ冗長構造、すなわち、ＲＡＩＤ（Redundant Array of Independent Disk）の論理グループが構成されている。例えば、ドロワ６ａに属するドライブと、ドロワ６ｂに属するドライブとを組み合わせることにより、ＲＡＩＤ１が構成される。具体的には、ディスク装置１では、ドロワ６ａに属する複数のドライブはデータ格納用ドライブとし、ドロワ６ｂに属するドライブは、データ格納用ドライブと対をなす冗長ドライブ（予備ドライブ）としている。そして、ディスク装置１は、同一データを、データ格納用ドライブと冗長ドライブとに並列的に記録するようにしている。これにより、例えば、データ格納用ドライブに障害が発生した場合に、ディスク装置１は、冗長ドライブから、データ格納用ドライブに記録されたデータと同一のデータ（冗長情報）を読み出すよう構成されている。
【００３５】
また、本実施形態のディスク装置１が採用するＲＡＩＤ方式は、ＲＡＩＤ１（レベル１）に限定されるものではなく、ＲＡＩＤ５（レベル５）等を採用してもよい。この場合には、ドロワ６ａに属するドライブと、ドロワ６ｂに属するドライブと、ドロワ６ｃに属するドライブと、ドロワ６ｄに属するドライブとを組み合わせることにより、ＲＡＩＤ５が構成される。ＲＡＩＤ５（レベル５）のディスク装置は、（Ｎ＋１）台（Ｎ≧２）のドライブで１つの論理グループを形成し、上位装置からデータブロックの書き込み要求があった場合に、１つの書き込み要求に付随するデータブロックを、（Ｎ＋１）台の何れかのドライブに格納し、次の書き込み要求に付随するデータブロックを別のドライブに格納することにより、データの書き込みを実行するものである。これにより、誤り訂正情報の格納領域は論理グループを形成する（Ｎ＋１）台のドライブに分散的に割当てられる。そして、ＲＡＩＤ５のディスク装置は、何れかのドライブに障害が発生した場合に、障害ドライブと同一論理グループに所属する他のドライブから読み出したデータに基づいて、障害ドライブが保持していたデータまたは誤り訂正情報（例えば、パリティデータ）を再生することができる。
【００３６】
配線基板３８ａ〜３８ｄは、ドライブ接続面（ディスクドライブ接続面）が筐体２の幅方向ｘ（図６中右側）に向くように配設されている。この配線基板３８ａ〜３８ｄは、後記するように、それぞれ、ディスクアレイ１７ａ〜１７ｄに属する各ドライブの信号配線や電源配線等を実装している。例えば、配線基板３８ａは、ディスクアレイ１７ａに属するドライブへの信号配線と、電源配線と、図３に示したスイッチ１８ａ，１９ａと、その他の電子部品とを実装している。
【００３７】
ファン（送風手段）３９ａ〜３９ｄは、各ドロワ６ａ〜６ｄの背面部を形成している。そして、ファン３９ａ〜３９ｄは、筐体２の奥行き方向ｙ前方から後方に向けて、ディスクアレイ１７ａ〜１７ｄ等を冷却するために風を送る。また、各ドロワ６ａ〜６ｄには、前面パネル４０が備えられている。この前面パネル４０には、風を通すための換気口と、この換気口に取り付けられたフィルタ４１とが３個設けられている。なお、この前面パネル４０には、図６には示されていないが、ドライブの状態を表示するために発光ダイオードアレイが設けられている。
【００３８】
また、配線基板３８ａ〜３８ｄには、ディスクアレイ１７ａ〜１７ｄとディスクコントローラ３とを接続するための接続ポートが設けられている。具体的には、配線基板３８ａには、ディスクアレイ１７ａとディスクコントローラ３とをチャネル７ａ，７ｂ（図１参照）で接続するために、接続ポート４２，４３が設けられている。これらの接続ポート４２，４３は、前面パネル４０の端縁部（図６中左側）から露出している。
【００３９】
次に、配線基板３８ａ〜３８ｄに実装されている部品を図７を参照して説明する。図７は、配線基板を図６の幅方向ｘ右側から視た構成図である。ここでは、配線基板３８ａを例示して説明する。図７に示すように、配線基板３８ａ上には、主として、スイッチ１８ａ，１９ａと、電源監視部４８と、スイッチ５０，５１と、レセプタクル５２ａ，５２ｂ，５２ｃ，５２ｄ，５２ｅ，５２ｆ，５２ｇ，５２ｈと、発光ダイオード５３ａ，５３ｂ，５３ｃ，５３ｄ，５３ｅ，５３ｆ，５３ｇ，５３ｈとが設けられている。
【００４０】
スイッチ１８ａは、接続ポート４２とディスクアレイ１７ａ（図３参照）の各ドライブ間の信号を切り換えると共に、各ドライブの状態を監視して各ドライブから入力する信号を接続ポート４２に出力するものである。また、スイッチ１８ａは、後記するように、２系統の電源装置５ａ，５ｂ（図１参照）を切り換える。なお、電源装置５ａは、コネクタ８ｂを経由して配線基板３８ａに電力を供給し、電源装置５ｂは、コネクタ８ａを経由して配線基板３８ａに電力を供給する。
スイッチ１９ａは、接続ポート４３の入出力信号を管理する。その他の機能は、スイッチ１８ａと同様なので説明を省略する。
【００４１】
電源監視部（切替制御手段）４８は、後記するように、２系統の電源装置５ａ，５ｂを監視して、スイッチ５０と、スイッチ５１とを制御することにより、ドライブに正常に電力を供給するためのものである。
スイッチ５０，５１は、コネクタ８ａに接続された電源装置５ｂ（図１参照）から供給される電力と、コネクタ８ｂに接続された電源装置５ａ（図１参照）から供給される電力とを切り換えるものである。
【００４２】
レセプタクル５２ａ〜５２ｈは、ディスクアレイ１７ａに属する各ドライブを装着し、各ドライブに信号を入出力すると共に、電力を供給するためのものである。レセプタクル５２ａ〜５２ｈの下方両側には、それぞれ、後記するドライブレールを嵌入するための２つの溝が穿設されている。例えばレセプタクル５２ｇの下方には、溝５６ａ，５６ｂが設けられている。
発光ダイオード５３ａ〜５３ｈは、レセプタクル５２ａ〜５２ｈに電気的に接続され、レセプタクル５２ａ〜５２ｈに装着された各ドライブの動作状態を表示するものである。
【００４３】
配線基板３８ａの奥行き方向ｙ前方側（図７中左側）の端縁部には、コネクタ５４，５５が設けられている。このコネクタ５４，５５には、後記するように、前面パネル４０に設けられる発光ダイオードが接続される。
また、配線基板３８ａの周縁部には、４隅と上下底部を合わせて６箇所に穴５７が設けられている。これらの穴５７は、配線基板３８ａをドロワ６ａ内の後記するドロワフレームに取り付けるためのものである。
【００４４】
次に、配線基板３８ａ上の部品の配線を図８を参照して説明する。図８は、配線基板の回路図である。なお、図８に示した配線図では、電源配線は、正電源側の接続関係のみ示され、負電源側の配線は省略されている。また、チャネルは、物理的に複数本の配線で構成されていても、一本の線で代表して示されている。
配線基板３８ａ上には、主として、電源線５８，５９と、電源線６０，６１と、信号線６２，６３，６４とが配線されている。
【００４５】
電源線５８，５９は、コネクタ８ａに接続されており、電源線６０，６１は、コネクタ８ｂに接続されている。
電源線５８，６０は、スイッチ５０，５１を介して、コネクタ８ａ，８ｂと、レセプタクル５２ａ〜５２ｈとを接続し、レセプタクル５２ａ〜５２ｈにドライブ用の電力を供給するものである。
電源線５９，６１は、ドライブ以外の部品、例えばファン３９ａ（図６参照）やスイッチ１８ａ，１９ａ等のための電力を供給するものである。なお、電源線５９，６１の配線は中途省略されている。
【００４６】
また、電源線５８，６０は、コネクタ８ａ，８ｂと、電源監視部４８とを接続しているので、電源監視部４８は、電源線５８から供給される電源電圧と、電源線６０から供給される電源電圧とを監視して、スイッチ５０とスイッチ５１とを制御する。これにより、コネクタ８ａとコネクタ８ｂのどちらか一方に接続された電源装置５ａ（５ｂ）（図１参照）に障害が発生したとしても、各ドライブに正常な電源装置５ａ（５ｂ）が接続されることとなる。なお、図８の回路図では、電源正常時において、レセプタクル５２ａ〜５２ｄへの給電は電源装置５ｂからコネクタ８ａを介して行われ、レセプタクル５２ｅ〜５２ｈへの給電は電源装置５ａからコネクタ８ｂを介して行われている。電源装置５ａ，５ｂのどちらか一方に障害が発生した場合に、レセプタクル５２ａ〜５２ｈへの給電は、正常な他方の電源装置から行われる。
【００４７】
信号線６２は、スイッチ１８ａとレセプタクル５２ａ〜５２ｄとを接続している。また、信号線６３は、スイッチ１９ａとレセプタクル５２ｅ〜５２ｈとを接続している。なお、スイッチ１８ａ，１９ａには、コネクタ５４，５５と、接続ポート４２，４３とがそれぞれ接続されている。これにより、発光ダイオード５３ａ〜５３ｈが表示する情報（各ドライブの状態を示す信号）は、スイッチ１８ａ，１９ａに供給され、さらに、スイッチ１８ａ，１９ａに接続されたコネクタ５４，５５に供給される。したがって、このコネクタ５４，５５に装着された発光ダイオードは、発光ダイオード５３ａ〜５３ｈと同じ情報を表示することができる。
【００４８】
信号線６４は、スイッチ１８ａ，１９ａと電源監視部４８とを接続している。これにより、電源監視部４８は、ディスクコントローラ３からの命令を、接続ポート４２、４３と、スイッチ１８ａ，１９ａと、信号線６４とを介して受信することができる。したがって、電源監視部４８は、ディスクコントローラ３からの命令に基づいて、スイッチ５０とスイッチ５１とを制御して、電源を切り換えるようにしてもよい。
【００４９】
次に、ディスクアレイユニット４を構成するドロワ６ａ〜６ｄの構造を図９を参照して説明する。図９は、ディスクアレイユニットを構成するドロワの外観図である。ここでは、ドロワ６ａを例示して説明する。
ドロワ６ａは、筐体２から引き出されたときに、ラック床板６９に配設されたラックレール７０，７１上を滑走し、所定位置で停止するように構成されている。このようにドロワ６ａが引き出されたときの振動を防止するために、ドロワ６ａの下部には、底板２００上に防振用ゴム７２が設けられている。
【００５０】
ドロワ６ａの前面パネル４０には、図９に示したように、発光ダイオードアレイ７３，７４が配設されている。発光ダイオードアレイ７３は、水平方向一直線上に配置された４つの発光ダイオードから構成され、配線基板３８ａ（図７参照）上の発光ダイオード５３ａ〜５３ｄと同じ情報を表示する。同様に、発光ダイオードアレイ７４は、４つの発光ダイオードから構成され、配線基板３８ａ（図７参照）上の発光ダイオード５３ｅ〜５３ｈと同じ情報を表示する。
【００５１】
ドロワ６ａは、骨組みであるドロワフレーム６５と、このドロワフレーム６５にそれぞれ固定された側面板６６および天板６７，６８とを備えている。
側面板（ガイド部材）６６は、ディスクアレイ１７ａ（図６参照）を介して配線基板３８ａ（図６参照）の基板面と対向する面（図９中右側）に固定されている。
天板（ガイド部材）６７，６８は、配線基板３８ａ（図６参照）の基板面と隣接する面（図９中上側）に固定されている。
これらの側面板６６および天板６７，６８は、ファン３９ａ（図６参照）からの空気の風向きをディスクアレイ１７ａ（図６参照）に向けるためのものである。
【００５２】
側面板６６には、ドライブ窓７５ａ，７５ｂ，７５ｃ，７５ｄ，７５ｅ，７５ｆ，７５ｇ，７５ｈと、発光ダイオード窓７６ａ，７６ｂ，７６ｃ，７６ｄ，７６ｅ，７６ｆ，７６ｇ，７６ｈとが穿設されている。
ドライブ窓７５ａ〜７５ｈは、ディスクアレイ１７ａ（図６参照）に属する８台のドライブに対応した位置に設けられている。後記するように、８台のドライブは、ドライブ窓７５ａ〜７５ｈから挿入されて、配線基板３８ａ上のレセプタクル５２ａ〜５２ｈ（図７参照）に装着される。
【００５３】
発光ダイオード窓７６ａ〜７６ｈは、配線基板３８ａ（図７参照）上の８個の発光ダイオード５３ａ〜５３ｈに対応した位置に設けられている。この発光ダイオード窓７６ａ〜７６ｈには、視認性を向上させるためにレンズ等が設けられている。なお、配線基板３８ａ（図７参照）上の発光ダイオード５３ａ〜５３ｈと、側面板６６上の発光ダイオード窓７６ａ〜７６ｈとの間は、ディスクアレイ１７ａ（図６参照）の幅だけ離れている。しかしながら、後記するように、光ファイバを利用することにより、発光ダイオード５３ａ〜５３ｈ（図７参照）の光は、発光ダイオード窓７６ａ〜７６ｈを十分に透過することができる。
【００５４】
次に、ドロワ６ａへドライブを取り付けるための構成を図１０を参照して説明する。図１０は、ドライブの取付方法の説明図である。図１０に示したドライブレール７７ａ，７７ｂは、一方の端部（図１０中左側）が、配線基板３８ａ（図７参照）上のレセプタクル５２ａ〜５２ｈの下方両側に設けられた溝（例えば５６ａ，５６ｂ）に嵌入されると共に、他方の端部（図１０中右側）が、側面板６６上のドライブ窓７５ａ〜７５ｈ（図９参照）に渡された状態で、ドロワフレーム６５（図９参照）にそれぞれ固定される。これにより、ドライブ７８を、例えばドライブ窓７５ａ（図９参照）から挿入すると、このドライブ７８は、ドライブレール７７ａ，７７ｂに導かれて、配線基板３８ａ（図７参照）上のレセプタクル５２ａに装着される。
【００５５】
また、ドライブレール７７ａの上には、光ファイバ７９が敷設されている。この光ファイバ７９は、配線基板３８ａ（図７参照）上の発光ダイオード５３ａ〜５３ｈの光を発光ダイオード窓７６ａ〜７６ｈ（図９参照）へ伝送するものである。なお、光ファイバ７９は、発光ダイオード５３ａ〜５３ｈ（図７参照）の光が発光ダイオード窓７６ａ〜７６ｈ（図９参照）を透過するのに十分な開口数を有する。
【００５６】
次に、本実施形態のディスク装置１において、ディスクアレイユニット４を構成するドロワ６ａ〜６ｄを筐体２から引き出すときの作用を図１１を参照して説明する。図１１は、１つのドロワを引き出した状態のディスクアレイユニットの内部を示す斜視図である。ここでは、一例としてドロワ６ｃが筐体２から引き出されている。例えば、ディスクアレイ１７ｃに属するドライブに障害が発生したときに、障害の生じたドライブを交換するために、ドロワ６ｃが引き出される。このドロワ６ｃが引き出されることにより、ディスクアレイ１７ｃと、配線基板３８ｃと、ファン３９ｃとが一体で引き出されることとなる。
【００５７】
このとき、接続ポート４２，４３とディスクコントローラ３とを接続するチャネル７ｅ，７ｆ（図１参照）は、それぞれ接続状態を維持している。また、配線基板３８ｃ上のコネクタ８ａ，８ｂ（図８参照）と、電源装置５ｂ，５ａとを接続する２つの電源ケーブル（図２参照）は、それぞれ接続状態を維持している。したがって、ディスクアレイ１７ｃ、ファン３９ｄ等には電力が供給される。そのため、ディスクアレイ１７ｃに属する交換対象ではない（正常な）ドライブは、ファン３９ｄからの風を受けながら所定の動作を継続することができる。なお、この風は、各ドライブ以外に配線基板３８ｃ上の電子部品も冷却する。ここで、ドロワ６ｃには、左側面に配線基板３８ｃが設けられると共に、図１１には示されていないが、右側面に側面板６６（図９参照）が設けられ、上面に天板６７，６８（図９参照）が設けられ、底面には、底板２００が設けられているので、ファン３９ｃからの風を各ドライブに集中することができる。
【００５８】
また、ドロワ６ｃは、側面板６６（図９参照）上の発光ダイオード窓７６ａ〜７６ｈにより、ディスクアレイ１７ｃに属する各ドライブの動作状態を表示することができる。なお、ディスク装置１は、ドロワ６ｃを筐体２から引き出す前の状態（図１参照）では、前面パネル４０の発光ダイオードアレイ７３，７４（図９参照）により、ディスクアレイ１７ｃに属する各ドライブの動作状態を表示することができる。
【００５９】
また、ドロワ６ｃは、ディスクアレイ１７ｃに属するディスクの回転面が水平方向に配置され、かつ、配線基板３８ｃの基板面が鉛直方向に配置されているので、配線基板３８ｃ上に、各ドライブを接続するレセプタクル５２ａ〜５２ｈ（図７参照）を高密度に配設することができる。その結果、ディスク装置１は、ドライブを高密度に実装することができる。さらに、ドロワ６ｃは、配線基板３８ｃの基板面が筐体２の高さ方向ｚ（垂直）に沿って配設されている。そのため、ドロワ６ｃを引き出す際に異物をドロワ６ｃ内に落としたときに配線をショートさせる虞を、配線基板の基板面が水平に配設されたときと比べて低減することができる。
【００６０】
また、ディスクアレイユニット４は、異なるドロワに属するドライブを組み合わせてＲＡＩＤグループを構成したので、例えばドロワ６ｃを引き出した際に、チャネル７ｅ，７ｆ（図１参照）や電源ケーブル（図２参照）が万が一断線する等しても、例えばドロワ６ａに存在する冗長ドライブを利用することができる。その結果、ディスク装置１の信頼性を向上させることができる。
【００６１】
以上本発明について好適な実施形態について例示したが、本発明は第１の実施形態に限定されず、本発明の趣旨を逸脱しない範囲で適宜変更が可能である。例えば、ディスク装置が２列のドライブ列を一度に引き出すことのできるドロワを備えるようにしてもよい。以下に、この場合の種々のバリエーションを第２ないし第６の実施形態として説明する。
【００６２】
（第２の実施形態）
次に、第２の実施形態に係るディスク装置を図１２および図１３を参照して説明する。第２の実施形態に係るディスク装置は、ディスクアレイユニットの構成が異なる点を除いて、図１に示したディスク装置１と同一の構成であるので、第１の実施形態と異なる点のみを説明する。図１２は、第２の実施形態に係るディスク装置のディスクアレイユニットの内部を示す斜視図であり、図１３は、図１２に示したディスクアレイユニットから１つのドロワを引き出した状態を示す斜視図である。
【００６３】
図１２に示すように、ディスクアレイユニット８０は、ドロワ８１と、ドロワ８２とを備えている。ドロワ８１は、図６に示したドロワ６ａとドロワ６ｂの機能を合わせて形成され、ドロワ８２は、図６に示したドロワ６ｃとドロワ６ｄの機能を合わせて形成されている。
【００６４】
ドロワ８１は、配線基板８３と、ディスクアレイ８４，８５と、前面パネル８６と、ファン８７とを備えている。
配線基板８３は、図６に示した配線基板３８ａと配線基板３８ｂとをそれぞれのドライブ接続面が外側に向くように貼り付けたものに相当する。ただし、一方の配線基板は、図７に示した配線基板３８ａとｙｚ平面に対して面対称になるように各電子部品が実装されている。なお、このときの２枚の配線基板は所定間隔を空けて配設してもよい。この配線基板８３は、ドロワ８１の幅方向ｘの中央に設けられている。
【００６５】
隣接したディスクアレイ８４，８５は、それぞれ配線基板８３の左右に接続されている。ディスクアレイ８４，８５に属する複数のドライブは、図１２に示した例では、奥行き方向ｙに４台、高さ方向ｚに４段配設されている。すなわち、ディスクアレイ８４，８５は、それぞれ奥行き方向ｙに４台配設されたドライブ列を所定間隔を隔てて高さ方向ｚに４段有している。そして、ディスクアレイユニット８０全体としては、前記したドライブ列を幅方向ｘに４列有している。なお、ディスクアレイ８４は、図６に示したディスクアレイ１７ａに相当し、ディスクアレイ８５は、図６に示したディスクアレイ１７ｂに相当する。
【００６６】
前面パネル８６は、図６に示した前面パネル４０を筐体２の幅方向ｘに２個連設して形成されたものに相当する。この前面パネル８６には、２組のディスクアレイ８４，８５をディスクコントローラ３に接続するための接続ポートが設けられている。
【００６７】
ファン８７は、図６に示したファン３９ａ，３９ｂを連設して形成されたものに相当する。なお、図示はされていないが、このファン８７には、２組のディスクアレイ８４，８５を電源装置５ａ，５ｂに接続するためのコネクタが設けられている。
【００６８】
ドロワ８２は、配線基板８８と、ディスクアレイ８９，９０と、前面パネル９１と、ファン９２とを備えている。これら配線基板８８と、ディスクアレイ８９，９０と、前面パネル９１と、ファン９２とは、それぞれ、配線基板８３と、ディスクアレイ８４、８５と、前面パネル８６と、ファン８７と同一の構成なので説明を省略する。
【００６９】
図１３に示すように、ドロワ８１は筐体２から引き出されている。このドロワ８１は、ディスクアレイ８４，８５が配線基板８３の両側に配置されている。したがって、筐体２から１つのドロワ８１を引き出しただけで、ディスクアレイ８４に属するドライブと、ディスクアレイ８５に属するドライブとをそれぞれ交換することができる。例えば、ディスクアレイ８４に属するドライブと、ディスクアレイ８５に属するドライブとの両方に障害が発生したドライブがある場合、ドロワを筐体２から引き出す動作は一度で済む。
【００７０】
第２の実施形態によれば、筐体２の幅方向ｘ２列のディスクアレイをまとめて引き出すことができるので、１列のディスクアレイを引き出す場合に比べて、ドロワやドロワフレーム等の体積を低減できる。その結果、第２の実施形態に係るディスク装置は、ドライブの実装密度を向上させることができる。
【００７１】
（第３の実施形態）
次に、第３の実施形態に係るディスク装置を図１４を参照して説明する。第３の実施形態に係るディスク装置は、ディスクアレイユニットに電源装置を備えている点を除いて、第２の実施形態のディスク装置と同一の構成であるので、第２の実施形態のディスクアレイユニットと異なる点のみを説明する。図１４は、第３の実施形態に係るディスク装置のディスクアレイユニットの内部を示す斜視図である。
【００７２】
ディスクアレイユニット１００は、図１４に示すように、ドロワ１０１と、ドロワ１０２とを備えている。なお、図１４においては、ドロワ１０１が筐体２から引き出された状態を示している。ドロワ１０１は、図１３に示したドロワ８１の構成要素に加えて、中間パネル１０３と、電源装置１０４，１０５とを備えている。
【００７３】
中間パネル１０３は、例えば前面パネル８６と同一の構成であり、配線基板８３を介して前面パネル８６と対向する位置に配設されている。なお、中間パネル１０３には、接続ポートが複数設けられており、これらの接続ポートを介して、ファン８７および電源装置１０４，１０５と配線基板８３とが接続されている。
【００７４】
電源装置１０４，１０５は、筐体２の奥行き方向ｙで中間パネル１０３の後方の左右にそれぞれ設けられている。電源装置１０４，１０５は、図１に示した電源装置５ａ，５ｂに相当するものである。なお、ファン８７は、電源装置１０４，１０５の奥に配設されており、ディスクアレイ８４，８５等の他に、電源装置１０４，１０５をも冷却する。
【００７５】
ドロワ１０２は、図１３に示したドロワ８２の構成要素に加えて、中間パネル１０６と、電源装置１０７，１０８とを備えている。なお、中間パネル１０６と、電源装置１０７，１０８とは、それぞれ、中間パネル１０３と、電源装置１０４，１０５と同一の構成なので説明を省略する。
【００７６】
第３の実施形態によれば、ディスクアレイユニット１００に電源装置１０４，１０５，１０７，１０８を設けたので、筐体２内でディスクアレイユニット１００と別の段に電源装置を設ける必要がない。そのため、筐体２の高さ方向ｚの体積を低減することができる。その結果、ディスク装置全体の体積を低減してドライブの実装密度を向上することができる。さらに、電源装置冷却用のファンとドライブ冷却用のファンとを共用することにより、部品点数を削減することができる。
【００７７】
（第４の実施形態）
次に、第４の実施形態に係るディスク装置を図１５を参照して説明する。第４の実施形態に係るディスク装置は、ディスクアレイユニットの構成が異なる点を除いて、図１に示したディスク装置１と同一の構成であるので、第１の実施形態と異なる点のみを説明する。図１５は、第４の実施形態に係るディスク装置のディスクアレイユニットの内部を示す斜視図である。
【００７８】
図１５に示すように、ディスクアレイユニット１１０は、ドロワ１１１と、ドロワ１１２とを備えている。ドロワ１１１は、図６に示したドロワ６ｂとドロワ６ｄの機能を合わせて形成され、ドロワ１１２は、図６に示したドロワ６ａとドロワ６ｃの機能を合わせて形成されている。そして、ディスクアレイユニット１１０は、ドロワ１１１が筐体２から前方に引き出されるように構成されていると共に、ドロワ１１２が筐体２から後方に引き出されるように構成されている。ただし、図６に示したディスクアレイ１７ａに相当するディスクアレイ１１３は、ドロワ１１２に属し、図６に示したディスクアレイ１７ｂに相当するディスクアレイ１１４は、ドロワ１１１に属している。また、図６に示したディスクアレイ１７ｃに相当するディスクアレイ１１５は、ドロワ１１２に属し、図６に示したディスクアレイ１７ｄに相当するディスクアレイ１１６は、ドロワ１１１に属している。
【００７９】
ドロワ１１１，１１２は、それぞれ前面パネル１１７，１１８を備えている。前面パネル１１７は、筐体２の幅方向ｘに、図６に示したディスクアレイユニット４の前面パネル４０とファン３９ａとが図１５中左から交互に２つずつ形成されたものに相当する。同様に、前面パネル１１８は、筐体２の幅方向ｘに、図６に示したディスクアレイユニット４のファン３９ａと前面パネル４０とが図１５中左から交互に２つずつ形成されたものに相当する。したがって、前面パネル１１７，１１８は、ドロワ１１１，１１２が筐体２に収納されている状態では、一方が他方の背面パネルの役割をしている。
【００８０】
ディスクアレイ１１３，１１５は、前面パネル１１８に所定間隔を隔てて配設された２つの配線基板１１９，１２０の外側にそれぞれ接続されている。また、ディスクアレイ１１４，１１６は、前面パネル１１７に所定間隔を隔てて配設された２つの配線基板１２１，１２２の外側にそれぞれ接続されている。なお、配線基板１１９，１２０と配線基板１２１，１２２は、それぞれドライブ接続面が逆方向に臨むように配設される。また、前記した所定間隔は例えば同じ長さであり、ディスクアレイ１１４の幅と配線基板１２１の厚さとを合わせた長さ以上の長さ、あるいは、ディスクアレイ１１５の幅と配線基板１２０の厚さとを合わせた長さ以上の長さである。
【００８１】
また、ディスクアレイユニット１１０は、例えばドロワ１１１だけが筐体２から引き出された状態では、前面パネル１１８が引き出されないので、電源用コネクタ１２３が前面パネル１１７（配線基板１２１，１２２）に配設されている。なお、図示しない電源用コネクタが前面パネル１１８（配線基板１１９，１２０）にも配設されている。
【００８２】
このような構成のディスクアレイユニット１１０は、ドロワ１１１，１１２が筐体２に収納されている状態では、図６に示したディスクアレイユニット４のドロワ６ｂ，６ｄの前後を換えて配置したものに相当する。なお、ドライブ冷却風の向きはドロワ毎に変更可能であり、ディスク装置を設置する場所の空調環境を考慮して風向を設定する。
【００８３】
第４の実施形態によれば、ディスクアレイユニット１１０は、ドロワ１１１，１１２を互い違いに奥行き方向ｙを逆方向に引き出して、それぞれのディスクアレイ１１３〜１１６に属するドライブを交換することができる。また、ドロワ１１１，１１２は、筐体２の幅方向ｘに所定間隔離れた２つのディスクアレイを組み合わせて構成したので、ラック床板６９（図９参照）に対するドロワ１１１，１１２の支持面積が増加することになり、ドロワ１１１，１１２を引き出す際の振動を低減することができる。
【００８４】
（第５の実施形態）
次に、第５の実施形態に係るディスク装置を図１６ないし図１８を参照して説明する。第５の実施形態に係るディスク装置は、ディスクアレイに属するドライブの配置が異なる点を除いて、第２の実施形態のディスク装置と同様の構成である。図１６は、第５の実施形態に係るディスク装置のディスクアレイユニットの断面図であり、図１７は、その斜視図である。
【００８５】
ディスクアレイユニット１４０は、図１６に示すように、専用ラック１４１と、ドロワ１４２，１４３とを備えている。
専用ラック（筐体）１４１は、例えば、高さ１Ｕ（ユニット：４４．４５ｍｍ）の１９型ラックである。なお、１９型ラックの幅（内寸）は４８２．６ｍｍである。
ドロワ１４２は、配線基板１４４と、この配線基板１４４に接続されたディスクアレイとして１２台（図１７参照）のドライブ１５０とを有している。
また、ドロワ１４３は、配線基板１４５と、この配線基板１４５に接続されたディスクアレイとして１２台（図１７参照）のドライブ１５０とを有している。
【００８６】
配線基板１４４，１４５はドライブ接続面が両面に形成されている。
ドライブ１５０は、例えば、２．５型のドライブである。２．５型ドライブは、図１８に示すように、長手方向が１００ｍｍ、レセプタクル接続面がある辺の長さが７０ｍｍ、厚さが約１０ｍｍの大きさを有している。
【００８７】
ドロワ１４２は、図１７に示すように、配線基板１４４の左側に、４台のドライブ１５０からなるドライブ列１５１ａ，１５１ｂを有し、配線基板１４４の右側に、ドライブ列１５１ｃを有している。ドライブ列１５１ｂは、ドライブ列１５１ａの下方に位置しており、ドライブ列１５１ｃは、ドライブ列１５１ａと同じ高さに位置している。
【００８８】
同様に、ドロワ１４３は、配線基板１４５の左側に、ドライブ列１５１ｄを有し、配線基板１４５の右側に、ドライブ列１５１ｅ，１５１ｆを有している。ドライブ列１５１ｄ，１５１ｆは、ドライブ列１５１ｂと同じ高さに位置しており、ドライブ列１５１ｅは、ドライブ列１５１ａと同じ高さに位置している。
【００８９】
ドロワ１４３に属するドライブ列１５１ｄは、その一部が、ドロワ１４２に属するドライブ列１５１ｃの下方に位置している。そのため、ドライブ列１５１ｃ，１５１ｄを合わせて１列２段のドライブ列とみなした場合、ディスクアレイユニット１４０は、全体として３列２段のドライブ列を有していることになる。あるいは、ドライブ列１５１ｃ，１５１ｄを合わせて２列のドライブ列とみなした場合、ディスクアレイユニット１４０は、全体として４列のドライブ列を有していることになる。したがって、第５の実施形態によれば、１９型ラックの幅方向にドライブ列を３列または４列実装することが可能である。また、図１６示すように、専用ラック１４１の両端には、スペースができるので、このスペースに電源ケーブルの余長分等を格納することができる。
【００９０】
（第６の実施形態）
次に、第６の実施形態に係るディスク装置を図１９および図２０を参照して説明する。第６の実施形態に係るディスク装置は、ディスクアレイに属するドライブの配置が異なる点を除いて、第５の実施形態のディスク装置と同様の構成である。図１９は、第６の実施形態に係るディスク装置のディスクアレイユニットの断面図であり、図２０は、その斜視図である。
【００９１】
ディスクアレイユニット１６０は、図１９に示すように、専用ラック１６１と、ドロワ１６２，１６３とを備えている。
専用ラック（筐体）１６１は、例えば、高さ１Ｕ（ユニット：４４．４５ｍｍ）の１９型ラックである。
ドロワ１６２は、配線基板１６４と、この配線基板１６４に接続されたディスクアレイとして１６台（図２０参照）のドライブ１５０とを有している。
また、ドロワ１６３は、配線基板１６５と、この配線基板１６５に接続されたディスクアレイとして１６台（図２０参照）のドライブ１５０とを有している。
【００９２】
配線基板１６４はドライブ接続面が両面に形成されており、ドライブ装着用のレセプタクルの位置がドライブ接続面毎に異なる。例えば、図１９に示すように、配線基板１６４の左側の下段のレセプタクル１６６の位置は、配線基板１６４の右側の下段のレセプタクル１６７の位置よりも数ｍｍ高くなっている。また、上段のレセプタクルについても同様である。また、配線基板１６５は、配線基板１６４と同様に構成されている。
ドライブ１５０は、例えば、２．５型のドライブである。
【００９３】
ドロワ１６２は、図２０に示すように、配線基板１６４の左側に、４台のドライブ１５０からなるドライブ列１５２ａ，１５２ｂを有し、配線基板１６４の右側に、ドライブ列１５２ｃ，１５２ｄを有している。同様に、ドロワ１６３は、配線基板１６５の左側に、ドライブ列１５２ｅ，１５２ｆを有し、配線基板１６５の右側に、ドライブ列１５２ｇ，１５２ｈを有している。
【００９４】
第６の実施形態によれば、図１９に示すように、専用ラック１６１の両端部をそれぞれ１０ｍｍ、ドロワ１６２とドロワ１６３との間隔とを１２．６ｍｍ、レセプタクルの幅を含む配線基板１６４，１６５の幅を２５ｍｍとして、ドライブ１５０を実装した場合、専用ラック（１９型ラック）１６１の幅方向に、２.５型ドライブのドライブ列を４列並べることができる。なお、ドライブ列毎にドロワを構成する場合（ドロワを４つとする場合）には、ドロワ間の隙間と、配線基板の厚さがさらに増加するので、１９型ラックに４列を実装することは難しい。
【００９５】
また、第６の実施形態によれば、配線基板１６４の両側でレセプタクル１６６，１６７の位置をずらしたので、配線基板１６４を介して両側にある２つのレセプタクル１６６，１６７のピンが互いに干渉することがない。したがって、配線基板１６４は、ピンの長さに対応した厚さを必要とすることがないので、その厚さを薄くすることができる。
【図面の簡単な説明】
【００９６】
【図１】第１の実施形態に係るディスク装置の正面外観図である。
【図２】第１の実施形態に係るディスク装置の背面外観図である。
【図３】ディスクコントローラとディスクアレイユニットの構成を示すブロック図である。
【図４】チャネルアダプタの構成を示すブロック図である。
【図５】ディスクアダプタの構成を示すブロック図である。
【図６】ディスクアレイユニットの内部を示す斜視図である。
【図７】配線基板を図６の幅方向ｘ右側から視た構成図である。
【図８】配線基板の回路図である。
【図９】ディスクアレイユニットを構成するドロワの外観図である。
【図１０】ディスクドライブの取付方法の説明図である。
【図１１】１つのドロワを引き出した状態のディスクアレイユニットの内部を示す斜視図である。
【図１２】第２の実施形態に係るディスク装置のディスクアレイユニットの内部を示す斜視図である。
【図１３】図１２に示したディスクアレイユニットから１つのドロワを引き出した状態を示す斜視図である。
【図１４】第３の実施形態に係るディスク装置のディスクアレイユニットの内部を示す斜視図である。
【図１５】第４の実施形態に係るディスク装置のディスクアレイユニットの内部を示す斜視図である。
【図１６】第５の実施形態に係るディスク装置のディスクアレイユニットの断面図である。
【図１７】第５の実施形態に係るディスク装置のディスクアレイユニットの斜視図である。
【図１８】２.５型ドライブの斜視図である。
【図１９】第６の実施形態に係るディスク装置のディスクアレイユニットの断面図である。
【図２０】第６の実施形態に係るディスク装置のディスクアレイユニットの斜視図である。
【符号の説明】
【００９７】
１    ディスク装置
２    筐体
３    ディスクコントローラ
４    ディスクアレイユニット
５ａ，５ｂ    電源装置
６ａ〜６ｄ    ドロワ（引出部）
１７ａ〜１７ｄ    ディスクアレイ
１８ａ〜１８ｄ，１９ａ〜１９ｄ    スイッチ
３８ａ〜３８ｄ    配線基板
３９ａ〜３９ｄ    ファン（送風手段）
４０    前面パネル
４８    電源監視部（切替制御手段）
６５    ドロワフレーム
６６    ドロワ側面板
６７，６８    ドロワ天板
８０    ディスクアレイユニット
８１，８２    ドロワ
８３，８８    配線基板
８４，８５    ディスクアレイ
８６，９１    前面パネル
８７，９２    ファン（送風手段）
８９，９０    ディスクアレイ
１００    ディスクアレイユニット
１０１，１０２    ドロワ
１０３，１０６    中間パネル
１０４，１０５，１０７，１０８    電源装置
１１０    ディスクアレイユニット
１１１，１１２    ドロワ
１１７，１１８    前面パネル
１１９，１２０，１２１，１２２    配線基板
１４０，１６０    ディスクアレイユニット
１４１，１６１    １９型ラック（筐体）
１４２，１４３，１６２，１６３    ドロワ
１５０    ２．５型ディスクドライブ
１５１ａ〜１５１ｆ，１５２ａ〜１５２ｈ    ドライブ列
１６６，１６７    レセプタクル（コネクタ）
２００    底板
【図１】
2006235696.tif 000003
【図２】
2006235696.tif 000004
【図３】
2006235696.tif 000005
【図４】
2006235696.tif 000006
【図５】
2006235696.tif 000007
【図６】
2006235696.tif 000008
【図７】
2006235696.tif 000009
【図８】
2006235696.tif 000010
【図９】
2006235696.tif 000011
【図１０】
2006235696.tif 000012
【図１１】
2006235696.tif 000013
【図１２】
2006235696.tif 000014
【図１３】
2006235696.tif 000015
【図１４】
2006235696.tif 000016
【図１５】
2006235696.tif 000017
【図１６】
2006235696.tif 000018
【図１７】
2006235696.tif 000019
【図１８】
2006235696.tif 000020
【図１９】
2006235696.tif 000021
【図２０】
2006235696.tif 000022